(57)【要約】      （修正有）【課題】任意の画面表示機能をひきだして使用することができるマシニングセンタ用のＮＣ機能付操作盤を提供する。【解決手段】マシニングセンタ用のＮＣ機能付操作盤であって、直方体の箱の形に形成され、縦長に配置されており、上下の角部に支持体１１，１２が設けられ、操作盤がそれらの支持体を中心として回転可能であり、前面の上側に表示画面１３が配置され、前面の下側に多数のキーが配置されている。操作盤の内部に複数の画面表示機能の全てを予め組み入れておき、加工の際に使用する画面表示機能を操作盤の内部から引き出せるようにするために、表示画面に表示された複数の画面表示機能が１つずつ選択され、その毎に、選択された画面表示機能の内容が表示画面に表示され、その画面表示内容に従って操作をする。【選択図】図１
0003187969.tif 000002
【実用新案登録請求の範囲】
【請求項１】
マシニングセンタ用のＮＣ機能付操作盤であって、
ＮＣ機能付操作盤の内部に複数の画面表示機能の全てを予め組み入れておき、加工の際に使用する画面表示機能を予め組み入れた画面表示機能の中から選択してＮＣ機能付操作盤の内部から引き出せるようにするために、表示画面に表示された複数の画面表示機能が１つずつ選択され、その毎に、選択された画面表示機能の内容が表示画面に表示され、その選択された画面表示機能の表示内容に従って操作をする構成にしたことを特徴とするＮＣ機能付操作盤。
【請求項２】
画面表示機能が、
１）機械段取り手順各表示及び加工プログラム連動管理機能、
２）加工物取り替え手順ビデオ表示機能、
３）機械カメラウイザード機能、
４）プローブ支援機能、
５）工具長、工具径手動測定の表示、
６）定期保守の時期とその実施方法機能、
７）メンテナンス記録及びその表示機能、
８）アラームの対処をビデオで指導する機能、
を含むことを特徴とする請求項１に記載のＮＣ機能付操作盤。
【請求項３】
複数の画面表示機能が横書き形式で１つの表示画面に列挙されることを特徴とする請求項１又は２に記載のＮＣ機能付操作盤。
【請求項４】
ＮＣ機能付操作盤が、直方体の箱の形に形成されており、
ＮＣ機能付操作盤が、縦長に配置されており、
ＮＣ機能付操作盤の上下の角部に支持体が設けられていて、それらの支持体を介してＮＣ機能付操作盤がそれらの支持体を中心として回転可能に設けられ、
ＮＣ機能付操作盤の前面の上側に表示画面が配置されており、
ＮＣ機能付操作盤の前面の下側に多数のキーが配置されていることを特徴とする請求項１〜４のいずれかに記載のＮＣ機能付操作盤。
【考案の詳細な説明】
【技術分野】
【０００１】
本考案は、マシニングセンタ用のＮＣ機能付操作盤に関する。
【背景技術】
【０００２】
従来のマシニングセンタ用のＮＣ機能付操作盤は、特許文献１及び特許文献２に示されているように、前面に表示画面と多数の種々のキーが配置されており、かつ、ＮＣ機能付操作盤の内部に画面に表示される複数の機能（つまり画面表示機能）が予め組み入れられておらず、そのため、加工の際に使用する画面表示機能をＮＣ機能付操作盤内に入力するために、マシニングセンタを停止していた。すなわち、従来は、このような画面表示機能を使用する場合は、その都度マシニングセンタを停止して、使用する画面表示機能をＮＣ機能付操作盤内に入力しなければいけない不便があった。
【先行技術文献】
【特許文献】
【０００３】
【特許文献１】実用新案登録第３１７４９３５号公報
【特許文献２】実用新案登録第３１７８５２０号公報
【考案の概要】
【考案が解決しようとする課題】
【０００４】
本考案の課題は、即座に、マシニングセンタ用のＮＣ機能付操作盤内から任意の画面表示機能をひきだして使用することができるようにすることである。
【課題を解決するための手段】
【０００５】
本考案の解決手段を例示すると、次のとおりである。
【０００６】
（１）マシニングセンタ用のＮＣ機能付操作盤であって、
ＮＣ機能付操作盤の内部に複数の画面表示機能の全てを予め組み入れておき、加工の際に使用する画面表示機能を予め組み入れた画面表示機能の中から選択してＮＣ機能付操作盤の内部から引き出せるようにするために、表示画面に表示された複数の画面表示機能が１つずつ選択され、その毎に、選択された画面表示機能の内容が表示画面に表示され、その選択された画面表示機能の表示内容に従って操作ができる構成にしたことを特徴とするＮＣ機能付操作盤。
【０００７】
（２）画面表示機能が、
１）機械段取り手順各表示及び加工プログラム連動管理機能
２）加工物取り替え手順ビデオ表示機能
３）機械カメラウイザード機能
４）プローブ支援機能
５）工具長、工具径手動測定の表示
６）定期保守の時期とその実施方法機能
７）メンテナンス記録及びその表示機能
８）アラームの対処をビデオで指導する機能
を含むことを特徴とする前述のＮＣ機能付操作盤。
【０００８】
（３）複数の画面表示機能が横書き形式で表示画面に列挙されることを特徴とする前述のＮＣ機能付操作盤。
【０００９】
（４）ＮＣ機能付操作盤が、直方体の箱の形に形成されており、
ＮＣ機能付操作盤が、縦長に配置されており、
ＮＣ機能付操作盤の上下の角部に支持体が設けられていて、それらの支持体を介してＮＣ機能付操作盤がそれらの支持体を中心として回転可能に設けられ、
ＮＣ機能付操作盤の前面の上側に表示画面が配置されており、
ＮＣ機能付操作盤の前面の下側に多数のキーが配置されていることを特徴とする前述のＮＣ機能付操作盤。
【考案の効果】
【００１０】
本考案によれば、即座にマシニングセンタ用のＮＣ機能付操作盤内から任意の画面表示機能をひきだして使用することができる。
【図面の簡単な説明】
【００１１】
【図１】本考案によるＮＣ機能付操作盤の前面側を示す斜視図。
【図２】本考案によるＮＣ機能付操作盤の背面側を示す斜視図。
【図３】ＮＣ機能付操作盤の表示画面に表示される複数の画面表示機能の表の好適例を示す。
【考案を実施するための形態】
【００１２】
以下、図面を参照して、本考案の１つの実施例を説明する。ただし、本考案は、図示された実施例に限定されるものではない。
【００１３】
本考案によるマシニングセンタ用のＮＣ機能付操作盤１０は、全体が、ほぼ直方体（本考案は厳密な意味の直方体に限定されず、直方体に近い形のものを含む）の箱の形に形成されている。
【００１４】
ＮＣ機能付操作盤１０は、マシニングセンタの加工部（図示せず）に近接して配置されている。
【００１５】
ＮＣ機能付操作盤１０の上下の角部１０ａ、１０ｂに支持体１１，１２が配置されている。支持体１１，１２は、中心軸線が上下方向に延びるように中空の管の形を有している。それらの支持体１１，１２を介してＮＣ機能付操作盤１０がそれらの支持体１１，１２を中心として水平面に沿って回転可能に設けられている。
【００１６】
ＮＣ機能付操作盤１０の前面の上側に矩形の表示画面１３が配置されている。これは液晶画面又はＣＲＴ画面である。
【００１７】
ＮＣ機能付操作盤１０の前面の下側に多数のキーが配置されている。これらのキーの一例を説明すると、次のとおりである。
【００１８】
ＣＦカードスロット１４は、ＣＦカード例えばコンパクトフラッシュカード（登録商標）を挿入して、プログラム、オフセット等の各種データの入出力をすることができる。
【００１９】
ＵＳＢポート１５は、ＵＳＢメモリースティック、ＣＤドライブ等のＵＳＢポートを持つ機器と接続して各種データの入出力をすることができる。
【００２０】
運転準備スイッチ１６は、このボタンを１度押すとＮＣに電源が投入される。一度押した状態では非常停止状態になるので、画面が正常に立ち上がった後、このボタンをもう一度押すとＮＣに電源が投入され、潤滑油ポンプ（図示せず）が起動する。正常な状態では数秒後に運転準備完了となる。
【００２１】
運転終了スイッチ１７は、これによって潤滑油ポンプ（図示せず）を停止させ、機械制御盤の制御回路（図示せず）の電源をＯＦＦにする。運転終了時には、このスイッチ１７により機械制御盤とＮＣ装置を停止する。
【００２２】
ファンクションキー１８は、多数のキーが縦方向と横方向に並んで配置されており、画面の切り換えおよびソフトキーメニュの選択および切り換えができる。
【００２３】
非常停止スイッチ１９は、これを押すとＮＣがリセットされた状態になり、機械制御盤運転準備が未完となる。工具交換や、主軸、切削油等機械の各機能が停止する。
【００２４】
マウスパッド２０は、マウスカーソルを自在に動かすことができるものである。
【００２５】
マウスボタン２１は、これにより選択の確定、各種設定変更ができるものである。
【００２６】
自動運転起動スイッチ２２は、これによってＤＮＣ運転、ＭＤＩ運転、メモリー運転が起動される。
【００２７】
フィードホールド２３は、自動運転中にこのスイッチを押すと、ＮＣ装置は送りを停止する。ただし、スピンドル、切削油は停止しない。自動運転起動スイッチ２２によって、再び自動運転が続行される
手動送り速度設定スイッチ２４は、手動送り（ＪＯＧ）の送り速度を設定するものである。
【００２８】
早送りオーバーライドスイッチ２５は、早送りに対して種々の値にオーバーライドすることができるようにするものである。
【００２９】
スピンドル回転数オーバーライドスイッチ２６は、スピンドル回転数を種々の値にオーバーライドすることができるようにするものである。
【００３０】
ドアインターロック解除ボタン２７は、これを押すと作業者側操作ドアのインターロックスイッチを解除できるようにするものである。
【００３１】
本考案においては、ＮＣ機能付操作盤１０の内部に加工に必要な複数の画面表示機能の全てを予め組み入れておく。そして、加工の際に使用する画面表示機能を即座にＮＣ機能付操作盤１０の内部から引き出す。例えば、表示画面１３に表示された複数の画面表示機能が１つずつ表示画面１３の側でタッチ式に又は機械側でＭＤＩ式に選択され、その毎に、選択された画面表示機能の内容が表示画面１３に表示される。その選択された画面表示機能の表示内容に従ってオペレータがキーその他の操作をする。
【００３２】
そのような画面表示機能を示すと、例えば、次のとおりである。
【００３３】
１）機械段取り手順各表示及び加工プログラム連動管理機能
この機能はどのように加工するか、どこを基準にして加工プログラムするか、どんな工具（刃具）を使用するか、など最適加工条件等を決めて、プログラムすることを画面表示して確認することができる
２）加工物取り替え手順ビデオ表示機能
加工するのに２工程、３工程か必要な加工物の場合、第１工程を実行する場合、加工物の取替、取り付の手順としてビデオを画面に表示することが出来る機能
３）機械カメラウイザード機能
機械内に加工中を表示するビデオがあるか、切削物が十分機能しているか、刃物は切れなくなっているか、ＡＴＣ動作が正常か等を確認する機能。さらに、潤滑油の装置内の油量がどの程度か、機外へ油漏れしていないか、所定の部分が正常に作動しているか、などを知るために、必要に応じてカメラを設け、確認したい部分を選んでカメラで表示する
４）プローブ支援機能
（ａ）例えばスピンドルにタッチプローブセンサーを取り付けて、円の中心について座標を求める。円形の外周にタッチプローブセンサーを複数個所タッチすることにより円の中心座標を求める。
【００３４】
（ｂ）四角形状のワークの場合は、２辺の内、１辺を２個所タッチセンサーで当てて、もう一方の直角面にタッチセンサーを当てると、四角の片角点の座標を求めることが出来る。プログラムを呼び出して芯出しをタッチセンサーで行う。
【００３５】
５）工具長、工具径手動測定の表示
作業者が工具長や工具径を測定するため（工具径や工具長さを測定する方法）の説明文を表示する
６）定期保守の時期とその実施方法機能
予めよく点検する重要度の高い部分の点検時期を決めておき、その時期になったら表示点灯するなりブザーで知らせるなりしてメンテナンスする方法をビデオに収納して内容をビデオで確認することができる機能
７）メンテナンス記録及びその表示機能
過去にその機械でメンテナンスをどのように何時、誰が実施したかを記録しておくことを画面に一瞬に表示することで、同じ様なメンテナンスが必要な場合はその対応が出来る機能。
【００３６】
８）アラームの対処をビデオで指導する機能
アラームを複数に分けて、アラームの内容を画面に表示して、アラーム解像をどの手順で行うかをビデオで指導する機能。
【００３７】
本発明においては、好ましくは、複数の画面表示機能１）〜８）が、例えば図３に示すように、１つの表示画面１３に横書き形式で列挙される。好ましくは、マシニングセンタの機械機能を表示画面に表示して、所望の機能を使用するときにリスト表の番号を選択することによりプログラムを画面表示する。
【００３８】
各画面表示機能に関して全ての操作（例えば、キー操作）が終了した時点で、終了キーが操作され、入力ミスがあると、音又は画面表示の形でアラームが発せられることが好ましい。
【符号の説明】
【００３９】
１０  ＮＣ機能付操作盤
１０ａ  角部
１０ｂ  角部
１１  支持体
１２  支持体
１３  表示画面
１４  ＣＦカードスロット
１５  ＵＳＢポート
１６  運転準備スイッチ
１７  運転終了スイッチ
１８  ファンクションキー
１９  非常停止スイッチ
２０  マウスパッド
２１  マウスボタン
２２  自動運転起動スイッチ
２３  フィードホールド
２４  手動送り速度設定スイッチ
２５  早送りオーバーライドスイッチ
２６  スピンドル回転数オーバーライドスイッチ
２７  ドアインターロック解除ボタン
【図１】
0003187969.tif 000003
【図２】
0003187969.tif 000004
【図３】
0003187969.tif 000005
【手続補正書】
【提出日】平成25年10月11日(2013.10.11)
【手続補正１】
【補正対象書類名】実用新案登録請求の範囲
【補正対象項目名】全文
【補正方法】変更
【補正の内容】
【実用新案登録請求の範囲】
【請求項１】
マシニングセンタ用のＮＣ機能付操作盤であって、
ＮＣ機能付操作盤が、直方体の箱の形に形成されており、
ＮＣ機能付操作盤が、縦長に配置されており、
ＮＣ機能付操作盤の上下の角部に支持体が設けられていて、それらの支持体を介してＮＣ機能付操作盤がそれらの支持体を中心として回転可能に設けられ、
ＮＣ機能付操作盤の前面の上側に表示画面が配置されており、
ＮＣ機能付操作盤の前面の下側に多数のキーが配置されており、
ＮＣ機能付操作盤の内部に複数の画面表示機能の内容が予め組み入れられており、
表示画面が、複数の画面表示機能の内容の全てが表示された表示画面と、選択された１つの画面表示機能の表示内容が表示された表示画面を含むことを特徴とするＮＣ機能付操作盤。
【請求項２】
複数の画面表示機能の内容が、
１）機械段取り手順各表示及び加工プログラム連動管理、
２）加工物取り替え手順ビデオ表示、
３）機械カメラウイザード、
４）プローブ支援、
５）工具長、工具径手動測定の表示、
６）定期保守の時期とその実施方法、
７）メンテナンス記録及びその表示、
８）アラームの対処のビデオ指導、
を含むことを特徴とする請求項１に記載のＮＣ機能付操作盤。
【請求項３】
表示画面が、複数の画面表示機能の内容を横書き形式で１つの表示画面に列挙した表示画面を含むことを特徴とする請求項１又は２に記載のＮＣ機能付操作盤。
【請求項４】
表示画面が、全ての画面表示機能の内容の各々を１つずつ表示した表示画面を含むことを特徴とする請求項１〜３のいずれかに記載のＮＣ機能付操作盤。
【手続補正２】
【補正対象書類名】明細書
【補正対象項目名】０００６
【補正方法】変更
【補正の内容】
【０００６】
（１）マシニングセンタ用のＮＣ機能付操作盤であって、
ＮＣ機能付操作盤が、直方体の箱の形に形成されており、
ＮＣ機能付操作盤が、縦長に配置されており、
ＮＣ機能付操作盤の上下の角部に支持体が設けられていて、それらの支持体を介してＮＣ機能付操作盤がそれらの支持体を中心として回転可能に設けられ、
ＮＣ機能付操作盤の前面の上側に表示画面が配置されており、
ＮＣ機能付操作盤の前面の下側に多数のキーが配置されており、
ＮＣ機能付操作盤の内部に複数の画面表示機能の内容が予め組み入れられており、
表示画面が、複数の画面表示機能の内容の全てが表示された表示画面と、選択された１つの画面表示機能の表示内容が表示された表示画面を含むことを特徴とするＮＣ機能付操作盤。
【手続補正３】
【補正対象書類名】明細書
【補正対象項目名】０００７
【補正方法】変更
【補正の内容】
【０００７】
（２）複数の画面表示機能の内容が、
１）機械段取り手順各表示及び加工プログラム連動管理、
２）加工物取り替え手順ビデオ表示、
３）機械カメラウイザード、
４）プローブ支援、
５）工具長、工具径手動測定の表示、
６）定期保守の時期とその実施方法、
７）メンテナンス記録及びその表示、
８）アラームの対処のビデオ指導、
を含むことを特徴とする請求項１に記載のＮＣ機能付操作盤。
【手続補正４】
【補正対象書類名】明細書
【補正対象項目名】０００８
【補正方法】変更
【補正の内容】
【０００８】
（３）表示画面が、複数の画面表示機能の内容を横書き形式で１つの表示画面に列挙した表示画面を含むことを特徴とする請求項１又は２に記載のＮＣ機能付操作盤。
【手続補正５】
【補正対象書類名】明細書
【補正対象項目名】０００９
【補正方法】変更
【補正の内容】
【０００９】
（４）表示画面が、全ての画面表示機能の内容の各々を１つずつ表示した表示画面を含むことを特徴とする前述のＮＣ機能付操作盤。